(57)【要約】【課題】様々な使用態様に対応して最適な照明を行うことのできるトーチライトを得る。【解決手段】このトーチライト１０においては、グリップ１１の他端側に設けられた第１回動軸１３を軸として回動可能な状態で照射部基部１４が装着されており、照射部基部１４には、更に細長い照射部先端部１５が装着されている。照射部基部１４には第１ランプ１４１が、照射部先端部１５には第２ランプ１５１が、それぞれ設けられている。照射部先端部１５は、第２回動軸１６の回りで、照射部基部１４に対して回動可能とされる。第２回動軸１６は照射部基部１４に対して固定される。【選択図】図１
2015185454.tif 000002
【特許請求の範囲】
【請求項１】
作業者に把持されるグリップの一端側に、電源となるバッテリが装着されるバッテリ保持部が固定された形態を具備し、前記グリップを基準とした照射方向が可変とされた状態で光を発するランプによって光を照射するトーチライトであって、
前記ランプとして、第１ランプと第２ランプとを具備し、
前記グリップに固定された第１回動軸の回りで回動可能とされて前記グリップの他端側に装着された照射部基部に前記第１ランプが固定され、
前記第１回動軸の回りで前記照射部基部が回動する際に前記照射部基部が沿って移動する平面と交差し前記照射部基部に固定された第２回動軸の回りで回動可能とされた前記照射部先端部に、前記第２ランプが固定されたことを特徴とするトーチライト。
【請求項２】
前記照射部基部を前記第１回動軸の回りで回動させることによって、前記グリップの長手方向にわたり前記照射部先端部が前記グリップにおける一方の側と接する構成とされたことを特徴とする請求項１に記載のトーチライト。
【請求項３】
前記グリップにおける前記一端側と前記他端側とを結ぶ軸から見た際に、前記バッテリ、前記バッテリ保持部における前記グリップから最も遠い箇所と前記グリップの表面と間の距離は、前記一方の側において、他方の側よりも小さくされたことを特徴とする請求項２に記載のトーチライト。
【請求項４】
前記バッテリは、前記バッテリ保持部に対して、前記他方の側から装着される構成とされたことを特徴とする請求項２又は３に記載のトーチライト。
【請求項５】
前記照射部先端部において、前記照射部基部と反対側の端部に、光を発する第３ランプを具備することを特徴とする請求項２から請求項４までのいずれか１項に記載のトーチライト。
【請求項６】
前記照射部基部を前記第１回動軸の回りで回動させることによって前記照射部先端部が前記グリップにおける一方の側と接する状態とされ、前記トーチライトにおける一方の側が平面の上に載置された際に、
前記バッテリ又はバッテリ保持部の一部と、前記グリップの他端側又は前記照射部基部とが前記平面と接し、前記第３ランプは前記平面と接しない構成とされたことを特徴とする請求項５に記載のトーチライト。
【請求項７】
作業者に把持されるグリップの一端側に、電源となるバッテリが装着されるバッテリ保持部が固定された形態を具備し、前記グリップを基準とした照射方向が可変とされた状態で光を発するランプによって光を照射するトーチライトであって、
前記グリップに固定された第１回動軸の回りで回動可能とされて前記グリップの他端側に装着された照射部に前記ランプが固定され、かつ前記照射部を前記第１回動軸の回りで回動させることによって、前記グリップの長手方向にわたり前記照射部が前記グリップにおける一方の側と接する構成とされ、
前記グリップにおける前記一端側と前記他端側とを結ぶ軸から見た際に、前記バッテリ、前記バッテリ保持部における前記グリップから最も遠い箇所と前記グリップの表面との間の距離は、前記一方の側において、前記他方の側よりも小さくされたことを特徴とするトーチライト。
【請求項８】
前記バッテリは、前記バッテリ保持部に対して、前記グリップにおける他方の側から装着される構成とされたことを特徴とする請求項７に記載のトーチライト。
【発明の詳細な説明】
【技術分野】
【０００１】
本発明は、脱着可能なバッテリを電源とし、携帯が可能な照明器具であるトーチライトに関する。
【背景技術】
【０００２】
作業者によって携帯され、所望の箇所を照射することのできるトーチライトは、様々な作業環境において作業の補助のために使用されている。トーチライトとしては、様々な形態のものが知られている。例えば、特許文献１には、広い範囲を照射するランプと、狭い範囲を特に明るく照射するランプを共に具備したハウジングが、作業者によって把持されるグリップとの間の角度を可変として装着されたトーチライトが記載されている。こうしたトーチライトにおいては、作業者がハウジングの設定角度を調整し、２種類のランプを使い分けることによって、作業において最適な形態でこのトーチライトを使用することができる。
【先行技術文献】
【特許文献】
【０００３】
【特許文献１】ＵＳ２００８／０３０４２５４Ａ１号公報
【発明の概要】
【発明が解決しようとする課題】
【０００４】
例えば、こうしたトーチライトを屋外の作業場で使用する場合には、これによって照明される場所は様々である。これに応じて、トーチライトは様々な場所に様々な形態で設置される。例えば、トーチライトは床や机等に載置されて使用される場合もある一方で、作業者に携帯されて使用される場合もある。このように様々な形態に応じて所望の範囲を適切に照射できることが要求された。
【０００５】
更に、トーチライトが携帯されて使用される際にも、その使用態様は様々である。例えば、トーチライト以外の照明機器がない箇所で作業者が取扱説明書を見ながら装置を操作する場合もある。こうした場合には、同時に複数の箇所を適切に照射することが必要となる。
【０００６】
また、トーチライトの電源としては、乾電池等を使用することができるものの、屋外の作業時において使用する場合等には、電動の作業機器（コードレスドライバ等）と共通の大容量のバッテリを用いることができれば、特に利便性が高くなる。また、こうした大容量のバッテリを用いる場合には、乾電池等を電源とする場合と比べて連続使用可能な時間を長くすることもできる。しかしながら、このようなバッテリは乾電池等と比べて大きく重いため、特許文献１に記載されたような細長く取り扱いが容易な形態とすることは困難であり、このバッテリが装着されるトーチライトを、上記のような様々な態様で使用する際には、その扱いは作業者にとって容易ではなかった。
【０００７】
このように、様々な使用態様に対応して最適な照明を行うことのできるトーチライトを得ることは困難であった。
【０００８】
本発明は、かかる問題点に鑑みてなされたものであり、上記の問題点を解決する発明を提供することを目的とする。
【課題を解決するための手段】
【０００９】
本発明は、上記課題を解決すべく、以下に掲げる構成とした。
本発明のトーチライトは、作業者に把持されるグリップの一端側に、電源となるバッテリが装着されるバッテリ保持部が固定された形態を具備し、前記グリップを基準とした照射方向が可変とされた状態で光を発するランプによって光を照射するトーチライトであって、前記ランプとして、第１ランプと第２ランプとを具備し、前記グリップに固定された第１回動軸の回りで回動可能とされて前記グリップの他端側に装着された照射部基部に前記第１ランプが固定され、前記第１回動軸の回りで前記照射部基部が回動する際に前記照射部基部が沿って移動する平面と交差し前記照射部基部に固定された第２回動軸の回りで回動可能とされた前記照射部先端部に、前記第２ランプが固定されたことを特徴とする。
本発明のトーチライトは、前記照射部基部を前記第１回動軸の回りで回動させることによって、前記グリップの長手方向にわたり前記照射部先端部が前記グリップにおける一方の側と接する構成とされたことを特徴とする。
本発明のトーチライトは、前記グリップにおける前記一端側と前記他端側とを結ぶ軸から見た際に、前記バッテリ、前記バッテリ保持部における前記グリップから最も遠い箇所と前記グリップの表面と間の距離は、前記一方の側において、他方の側よりも小さくされたことを特徴とする。
本発明のトーチライトにおいて、前記バッテリは、前記バッテリ保持部に対して、前記他方の側から装着される構成とされたことを特徴とする。
本発明のトーチライトは、前記照射部先端部において、前記照射部基部と反対側の端部に、光を発する第３ランプを具備することを特徴とする。
本発明のトーチライトは、前記照射部基部を前記第１回動軸の回りで回動させることによって前記照射部先端部が前記グリップにおける一方の側と接する状態とされ、前記トーチライトにおける一方の側が平面の上に載置された際に、前記バッテリ又はバッテリ保持部の一部と、前記グリップの他端側又は前記照射部基部とが前記平面と接し、前記第３ランプは前記平面と接しない構成とされたことを特徴とする。
本発明のトーチライトは、作業者に把持されるグリップの一端側に、電源となるバッテリが装着されるバッテリ保持部が固定された形態を具備し、前記グリップを基準とした照射方向が可変とされた状態で光を発するランプによって光を照射するトーチライトであって、前記グリップに固定された第１回動軸の回りで回動可能とされて前記グリップの他端側に装着された照射部に前記ランプが固定され、かつ前記照射部を前記第１回動軸の回りで回動させることによって、前記グリップの長手方向にわたり前記照射部が前記グリップにおける一方の側と接する構成とされ、前記グリップにおける前記一端側と前記他端側とを結ぶ軸から見た際に、前記バッテリ、前記バッテリ保持部における前記グリップから最も遠い箇所と前記グリップの表面との間の距離は、前記一方の側において、前記他方の側よりも小さくされたことを特徴とする。
本発明のトーチライトにおいて、前記バッテリは、前記バッテリ保持部に対して、前記グリップにおける他方の側から装着される構成とされたことを特徴とする。
【発明の効果】
【００１０】
本発明は以上のように構成されているので、様々な使用態様に対応して最適な照明を行うことのできるトーチライトを得ることができる。
【図面の簡単な説明】
【００１１】
【図１】本発明の実施の形態に係るトーチライトの側面図（ａ）、正面図（ｂ）、断面図（ｃ）である。
【図２】本発明の実施の形態に係るトーチライトにおいて、バッテリが装着されない場合の形態を示す側面図である。
【図３】本発明の実施の形態に係るトーチライトが携帯される際の構成を示す側面図である。
【図４】本発明の実施の形態に係るトーチライトが携帯されて使用される際において、第１回動軸の回りの回動角度が調整された際の構成を示す図である。
【図５】本発明の実施の形態に係るトーチライトが携帯されて使用される際において、第１回動軸の回りの回動角度が調整された際の構成（その２）を示す図である。
【図６】本発明の実施の形態に係るトーチライトにおいて、第１回動軸、第２回動軸の回りの回動角度がそれぞれ調整された際の構成を示す図である。
【図７】本発明の実施の形態に係るトーチライトが、第１回動軸、第２回動軸の回りの回動角度がそれぞれ調整された状態で携帯される際の構成を示す図である。
【図８】本発明の実施の形態に係るトーチライトが載置されて使用される際において、第１回動軸の回りの回動角度が調整された際の構成を示す図である。
【図９】本発明の実施の形態に係るトーチライトの変形例の側面図（ａ）、斜視図（ｂ）である。
【図１０】本発明の実施の形態に係るトーチライトの変形例が平面上に載置される場合の形態を示す図である。
【発明を実施するための形態】
【００１２】
本発明の実施の形態となるトーチライトについて説明する。このトーチライトにおいては、着脱可能な大容量のバッテリが電源とされる。また、広い照射角度をもつ第１ランプと、これよりも狭い範囲を特に明るく照射する第２ランプを具備する。第１ランプと第２ランプの設定角度（照射方向）は、作業者の使用態様に応じて適切に設定される。第１ランプと第２ランプとを同時に最適な設定角度として両者を同時に使用することもできる。
【００１３】
図１は、このトーチライト１０の構造を示す側面図（ａ）、正面図（ｂ）、そのＡ−Ａ方向の断面図（ｃ）である。ここで、図１（ａ）（ｂ）は、このトーチライト１０が作業台や床等に載置された際の形態を示す。図１（ｂ）は、図１（ａ）を右側から見た図となっている。
【００１４】
このトーチライト１０においては、図１（ａ）（ｂ）において上下方向に延伸するグリップ１１が設けられている。グリップ１１の一端（図１（ａ）（ｂ）における下端）にはこれよりも太くされたバッテリ保持部１２が設けられ、このバッテリ保持部１２にはバッテリ１００が装着される。図示されるように、バッテリ１００はグリップ１１よりも幅が広く重いために、バッテリ１００がバッテリ保持部１２に装着された状態で、バッテリ１００を基台としてこのトーチライト１０を載置することができる。また、図１（ａ）においては、グリップ１１は、バッテリ１００の中央部には位置せず、右側に偏って位置する。
【００１５】
このトーチライト１０においては、グリップ１１の他端（図１（ａ）（ｂ）における上端）側に設けられた第１回動軸１３を軸として回動可能な状態で照射部基部１４が装着されており、照射部基部１４には、更に細長い照射部先端部１５が装着されている。このトーチライト１０においては、照射部基部１４と照射部先端部１５とが組み合わされて、照射する方向が調整可能とされたランプが設けられた照射部とされる。このトーチライト１０においては、照射部基部１４には第１ランプ１４１が、照射部先端部１５には第２ランプ１５１が、それぞれ設けられている。
【００１６】
図１（ａ）に示されるように、照射部先端部１５は、グリップ１１に沿って細長く形成されるため、第２ランプ１５１も、これに沿って細長くすることができる。このため、第２ランプ１５１としては、例えば複数のＬＥＤを細長く配列し、これを細長いレンズで覆った構成のものを用いることができる。こうした構成によって、第２ランプ１５１による照射範囲（投光範囲）を広くすることができ、第２ランプ１５１は、特に広い範囲を照射するために適している。
【００１７】
一方、図１（ａ）に示されるように、照射部基部１４は、グリップ１１の上端部を覆うように形成されるために、第１ランプ１４１を第２ランプ１５１のように細長くすることは困難である。このため、第１ランプ１４１においては、照度の大きな光源を用いることができるものの、第２ランプ１５１よりも小さなレンズが用いられ、特定の箇所を特に明るく照明するために適している構成とされる。
【００１８】
グリップ１１に固定された第１回動軸１３は、図１（ａ）においては紙面と垂直方向、図１（ｂ）においては左右方向とされる。図１においては、照射部先端部１５がグリップ１１の一方の側（図１（ａ）における右側）において、グリップ１１の長手方向に沿って当接する、あるいは最も近接するように照射部基部１４を第１回動軸１３の回りで回動させた状態が示されている。図１（ａ）に示されるように、この状態においては、照射部先端部１５の長手方向とグリップ１１の長手方向（グリップ１１の軸方向）は共に図中の上下方向となる。
【００１９】
また、第１回動軸１３の端部には、第１回動軸１３の軸方向に押すことによって動作するスイッチ１３１が設けられる。このスイッチ１３１が操作されることによって、第１ランプ１４１、第２ランプ１５１の状態がサイクリックに変化する。例えば、この状態としては、（１）第１ランプ１４１、第２ランプ１５１が共に消灯した状態、（２）第１ランプ１４１のみが点灯した状態、（３）第２ランプ１５１のみが点灯した状態、（４）第１ランプ１４１、第２ランプ１５１が共に点灯した状態、（５）第１ランプ１４１のみが点滅した状態、（６）第２ランプ１５１のみが点滅した状態、（７）第１ランプ１４１、第２ランプ１５１が共に点滅した状態、を設定することができる。この他にも、それぞれのランプの照度が調整されるような設定をすることもできる。
【００２０】
照射部先端部１５は、図１（ａ）（ｂ）において破線で示された第２回動軸１６の回りで、照射部基部１４に対して回動可能とされる。第２回動軸１６は照射部基部１４に対して固定され、図１（ａ）（ｂ）の形態では紙面内の上下方向に沿っている。このため、第１回動軸１３と第２回動軸１６とは直交する。第１回動軸１３、第２回動軸１６の回りの回動に際してのトーチライト１０の形態の変化については後述する。なお、図１（ａ）の形態では、第２ランプ１５１はグリップ１１側に当接するために、第２ランプ１５１を用いた照明はできない。
【００２１】
照射部基部１４の第１回動軸１３の回りの回動、照射部先端部１５の第２回動軸１６の回りの回動に際しては、回動抵抗が働くように設定されることが好ましい。これによって、所定の大きさ以上の力が働いた場合においてのみ照射部基部１４、照射部先端部１５を回動させることができ、所望の設定角度でこれらを固定することができる。あるいは、小さな力でこれらを回動させることができるが、これらの設定角度を所望の値として固定できるような固定機構を用いることもできる。
【００２２】
また、グリップ１１における照射部先端部１５と当接する側（図１（ａ）における右側）の面、及び照射部先端部１５におけるグリップ１１と当接する側（図１（ａ）における左側）の面は、略平面、あるいは曲率半径の大きな曲面とされる。一方、グリップ１１、照射部先端部１５におけるこれらの面と反対側の面は、共に楕円体を構成する曲面に近い曲面（前記の曲率半径の大きな曲面よりも曲率半径の小さな曲面）形状とされる。このため、図１（ｃ）に示されるように、これらが当接した状態の全体の断面は略楕円形状となるように構成される。この形状、大きさは、作業者がこの全体を把持できるように設定される。図１の形態におけるグリップ１１の照射部先端部１５側（図１（ａ）における右側）の鉛直方向の形状は、照射部先端部１５と当接させるために、長手方向において略直線形状とされている。グリップ１１におけるこれと反対側（図１（ａ）における左側）には、作業者が照射部先端部１５がある側からこれを把持しやすいように、弾性材（エラストマ）１１１が装着されている。なお、図１（ｃ）に示されるように、照射部先端部１５はグリップ１１よりも薄く形成され、作業者はグリップ１１のみを把持することもできる。
【００２３】
図１の形態は、このトーチライト１０が最もコンパクトな形態となるように第１回動軸１３の回りの照射部基部１４の回動角度、第２回動軸１６の回りの照射部先端部１５の回動角度が設定された状態を示している。このため、このトーチライト１０が使用されない状態で携帯される際には、通常は図１の形態とされる。
【００２４】
また、図１（ａ）の状態では、バッテリ１００は、前後方向（白矢印に示された方向）にスライドされることによって、バッテリ保持部１２側に設けられたレールに沿って移動し、適正な位置においてラッチ機構で固定される。このラッチ機構は、バッテリ１００に設けられたラッチ解除ボタン１０１を押すことによって解除される。ラッチ解除ボタン１０１は、バッテリ１００における図１（ａ）に示された側と反対側の面にも設けられており、作業者は、これらの２つのラッチ解除ボタン１０１を押しながらバッテリ１００のバッテリ保持部１２への脱着を行うことができる。図２は、バッテリ１００が装着されない状態におけるこのトーチライト１０の形態を示す、図１に対応した図である。また、図１（ａ）においては、バッテリ１００は、図中左側からバッテリ保持部１２に装着される。この操作を容易にするため、ラッチ解除ボタン１０１は、バッテリ１００における図中左側に装着されている。
【００２５】
バッテリ保持部１２には、このトーチライト１０を壁等に設けられた突起部に係止するために用いられるフック１７が装着されている。フック１７はワイヤ（図示せず）を介してバッテリ保持部１２に装着され、フック１７が使用されない場合には、バッテリ保持部１２に設けられたフック収納口１２１にフック１７は収納されている。フック１７は、このトーチライト１０を使用しない場合にこれを吊り下げて保管する場合、あるいはこのトーチライト１０を壁等に吊り下げて照明として使用する場合に用いられる。
【００２６】
上記のトーチライト１０は、作業者がこれを携帯して使用することも、これを作業台等に載置して使用することもできる。どちらの場合においても、トーチライト１０によって照明される方向を作業において最適な方向とすることができる。以下では、まず、このトーチライト１０を作業者が携帯して使用する際の態様について説明する。この場合には、照明のために、第２ランプ１５１、第１ランプ１４１を同時に使用することもできる。
【００２７】
図３は、図１の状態とされたトーチライト１０を作業者が把持した際の形態を示す図である。図３に示されるように、図中右側に位置する作業者は、バッテリ１００側を手前にして図１の構成における照射部先端部１５とグリップ１１とが一体化された部分を手Ｈで把持し、第１ランプ１４１が発する光を略前方（図２における破線白矢印の方向）に発することができる。また、グリップ１１を手Ｈで把持した状態で照射部基部１４を第１回動軸１３の回りで回動させることによって、第１ランプ１４１が発する光の方向を調整することができる。図４（ａ）〜（ｄ）は、この回動の角度を、図３の状態から反時計回りに４５°、９０°、１３５°、１８０°とした場合の形態を示す。これによって、第１ランプ１４１が発する光の方向を調整することができる。また、図３の状態では第２ランプ１５１による照射は実質的にはできなかったのに対し、図４（ａ）〜（ｄ）においては、後方から上方に向かう照射をすることができる。
【００２８】
なお、図４における照射部基部１４の第１回動軸１３の回りの可動範囲は、時計回り方向においては、図１のように照射部先端部１５がグリップ１１の上側に当接することによって制限される。一方、反時計回り方向においては、照射部基部１４の反時計回り方向側の端部がグリップ１１に当接することで制限され、図４においては、照射部基部１４の第１回動軸１３の回りの回動角度が１８０°である場合（図４（ｄ））をこの限界としている。反時計回り方向の可動範囲は、照射部基部１４の構造によっては、１８０°よりも大きくすることは可能であるものの、この角度を３６０°近くにすることは困難であることは明らかである。このため、図４に示された形態においては、第２ランプ１５１によって前方あるいは下方を照射することは困難である。
【００２９】
これに対して、照射部先端部１５は、第２回動軸１６の回りでも回動可能とされる。図５（ａ）〜（ｄ）は、図４（ａ）〜（ｄ）の状態から照射部先端部１５を第２回動軸１６の回りで１８０°回動させた際の状態をそれぞれ示す。この場合においては、第１回動軸１３の回りの角度の設定に伴い、第２ランプ１５１は、上方から前方、下方に向かう照射をすることができる。すなわち、作業者がグリップ１１を把持した状態で第１回動軸１３、第２回動軸１６の回りの回動角度を調整することによって、第２ランプ１５１によって、後方、上方、前方、下方におけるグリップ１１等に遮られない範囲の方向を照射することができる。
【００３０】
なお、図５は、照射部先端部１５を第２回動軸１６の回りで図４の状態から１８０°回動させた状態を示しているが、実際にはこの角度は任意に設定することができる。このため、例えば第２ランプ１５１の照射方向を紙面手前側や紙面向こう側（側方）とすることもできる。
【００３１】
このため、図６に示されるように、第２ランプ１５１による照射方向を作業者から見て斜め前方（図６（ａ））や斜め後方（図６（ｂ））とすることもできる。図７（ａ）（ｂ）は、図６（ａ）（ｂ）の形態とした際における作業者との間の位置関係を示す。特に図７（ｂ）に示されるように、第２ランプ１５１による照射方向を斜め後方とした場合には、右手でこのトーチライト１０を把持して前方にある作業機器を第１ランプ１４１で照射しながら、左手に持った取扱説明書を第２ランプ１５１で照射することができる。すなわち、このトーチライト１０を用いて暗い環境下における作業を特に効率的に行うことができる。
【００３２】
また、図１（ａ）においてグリップ１１が右側に偏って設けられたために、このトーチライト１０における重心Ｇは、図３に示されるようにグリップ１１よりも図３における下側（照射部先端部１５１が折り畳まれた際に当接する側と反対側：他方の側）に位置する。このため、図４、５、７の形態における重心は低い位置となり、作業者はこのトーチライト１０を安定して把持することができる。また、バッテリ１００あるいはバッテリ保持部１２のグリップ１１からの上側における突出長さ（グリップ１１における一端側と他端側とを結ぶ軸から見た際に、バッテリ１００、バッテリ保持部１２におけるグリップ１１から最も遠い箇所とグリップ１１の表面と間の距離）は、図３に示されるように、照射部先端部１５がある側（図中上側：一方の側）でＢ、その反対側（図中下側：他方の側）でＣであり、図１（ａ）においてグリップ１１が右側に偏って設けられたために、Ｃ＞Ｂとされる。このため、図４、５、７に示されたように照射部先端部１５がある側から作業者がグリップ１１を把持した場合には、バッテリ１００やバッテリ保持部１２が手に当接しにくい。照射部先端部１５がグリップ１１に沿った形状とされた図１（ａ）の状態においては、作業者は照射部先端部１５とグリップ１１とが組み合わされた断面が図１（ｃ）とされた構造を把持することになるため、これを把持する手は、バッテリ１００やバッテリ保持部１２と更に当接しにくくなる。このため、照射部先端部１５の設定角度によらず、作業者はこのトーチライト１０を携帯しやすい。この際、弾性材１１１は、グリップ１１を把持する手において最も負荷のかかる箇所に設けられているため、トーチライト１の携帯が弾性材１１１によって更に容易となる。
【００３３】
図１（ａ）に示されたように、バッテリ１００には、ラッチ解除ボタン１０１が設けられており、バッテリ１００の脱着時には、作業者はラッチ解除ボタン１０１を押しながらバッテリ１００をスライドさせる必要がある。前記の通り、ラッチ解除ボタン１０１は、バッテリ１００においてバッテリ１００が装着される側（図１（ａ）における左側）に設けられている。図１（ａ）における全高を低く保ちかつ作業者がラッチ解除ボタン１０１を操作しやすくするためには、ラッチ解除ボタン１０１は、グリップ１１に対して図１（ａ）の左側もしくは右側に設けることが好ましい。この場合において、前記の通りＣ＞Ｂとするためには、ラッチ解除ボタン１０１が左側となるようにすることが好ましいことは明らかである。このため、バッテリ１００は、バッテリ装着部１２に対してグリップ１１が偏って固定された側（図１（ａ）における右側）と反対側（図１（ａ）における左側）から装着されることが、このトーチライト１０を携帯しやすく、かつバッテリ１００の脱着作業を容易とするために特に好ましい。
【００３４】
次に、上記のトーチライト１０を作業台等に載置して使用する際の態様について説明する。この場合には、図１に示されたように、バッテリ１００が接地するようにこのトーチライト１０を載置することによって、特に安定してこれを載置することができる。
【００３５】
この場合には、広い面積をもつために広い投光面積をもつ第２ランプ１５１を主に用いることができる。図８（ａ）〜（ｄ）は、上記のトーチライト１０を載置して図１（ａ）の状態から照射部先端部１５（照射部基部１４）を第１回動軸１３の回りで、図１（ａ）の状態から反時計回りに４５°、９０°、１３５°、１８０°回動させた際の形態をそれぞれ示す。
【００３６】
この場合には、第２ランプ１５１によって、下方から右方を照射することができる。図５と同様に、照射部先端部１５を第２回動軸１６の回りで回動させることによって、上方から前方を照射させることができることも明らかである。すなわち、このトーチライト１０を携帯して使用する場合と同様に、第２ランプ１５１によって大部分の方向を照射することができる。
【００３７】
ただし、下方を照射する図８（ｂ）（ｃ）の場合には、図中の破線で示されるように、グリップ１１に近い側の照射範囲は、グリップ１１やバッテリ保持部１２、バッテリ１００によって制限される。特に、図８（ｂ）のように直下を照射する場合には、バッテリ保持部１２、バッテリ１００によって光が遮られる。この点において、このトーチライト１０においては、図３におけるＣ＞Ｂとされるため、バッテリ保持部１２、バッテリ１００によって光が遮られる範囲を狭くすることができる。すなわち、このトーチライト１０を載置して使用する際に、下方への投光範囲を広くすることができる。こうした特性は、例えばこのトーチライト１０を作業台の上に載置して使用する場合には特に有効である。
【００３８】
こうした特性は、グリップ１１の軸から見てバッテリ保持部１２やバッテリ１００の突出が小さくされた側に沿って照射部先端部１５が設けられた形態（図１の形態）から、バッテリ保持部１２と反対側に設けられた第１回動軸１３を軸として照射部先端部１５がグリップ１１から離間するように回動した形態（図８の形態）とすることが可能であるために、実現される。
【００３９】
すなわち、上記のトーチライト１０においては、これを作業者が携帯した状態においても、これを載置した場合においても、第２ランプ１５１によって照射される方向として、広い範囲を設定することができる。なお、図８においては、第２ランプ１５１による照射についてのみ記載されたが、第１ランプ１４１による照射方向も同様に設定されることは明らかであり、トーチライト１０を載置した状態においても第１ランプ１４１を使用できることは明らかである。
【００４０】
また、前記の通り、フック１７を用いてこのトーチライト１０を吊り下げることができる。このため、このトーチライト１０が吊り下げられた状態で図４、５に示されたように照射部基部１４、照射部先端部１５の回動角度が設定されれば、同様に広い範囲を照射することができる。
【００４１】
次に、上記のトーチライト１０の変形例について説明する。上記のトーチライト１０においては、第１ランプ１４１と第２ランプ１５１が用いられたが、利便性を高めるために、更に第３ランプを設けることができる。図９は、このトーチライト１１０の構成を示す側面図（ａ）、斜視図（ｂ）である。側面図（ａ）は、図１（ａ）に対応する。
【００４２】
この構成においては、グリップ１１、バッテリ保持部１２、バッテリ１００、第１回動軸１３、照射部基部１４、フック１７等の構成は前記のトーチライト１０と同様であり、図示されていないが、第２回動軸も同様に設けられている。ただし、ここで用いられている照射部先端部２５においては、前記と同様に第２ランプ１５１が設けられているが、更に、照射部先端部２５の最先端には、第３ランプ２５１が設けられている。第３ランプ２５１は、第１ランプ１４１と比べても更に小さいものの、照射部先端部２５の最先端に設けられているために、作業者が第３ランプ２５１を特に照射される対象（例えば小さな試料等）に近接させることができる。この際に、第１ランプ１４１、第２ランプ１５１を同時に使用することができることも明らかである。このため、第３ランプ２５１は、第１ランプ１４１、第２ランプ１５１を使用する際に、補助的に使用することができる。
【００４３】
第３ランプ２５１としては、これを照射部先端部２５の最先端に設けるために、大きなレンズ等を具備しない単素子のＬＥＤ等を用いることができる。一方で、大きなレンズ等を具備しない場合には、第３ランプ２５１は特に破損しやすくなる。これに対して、図９（ａ）の状態とされたこのトーチライト１１０を平坦な地面（平面）ＧＤに載置した際の形態を図１０に示す。照射部先端部２５がグリップ１１に沿って折り畳まれた状態においては、図３に示されたようにＣ＞Ｂとされた場合でも、グリップ１１の上端部又は照射部基部１４、バッテリ保持部１２又はバッテリ１００を地面ＧＤに当接させることにより、第３ランプ２５１が地面ＧＤに当接することが抑制され、破損しやすい第３ランプ２５１が保護される。トーチライト１１０を載置する場合だけでなく、これを携帯中に落下させた場合等においても同様である。すなわち、第３ランプ２５１を照射部先端部２５の先端に設けることにより、これを保護することができる。
【００４４】
なお、上記の例においては、第１、第２ランプ、あるいは更に第３ランプが用いられたが、更に他のランプを追加することもできる。こうした場合には、各ランプの照射範囲、その点灯の方式（連続点灯、点滅等）は、適宜設定することができる。その切替は、前記のスイッチ１３１と同様のスイッチで行うことができる。
【００４５】
また、上記の例では、第１回動軸１３と第２回動軸１６とは直交する構成とされたが、上記のような照射部基部と照射部先端部の動作が可能な限りにおいて、これらが直交する必要はない。第１回動軸の回りで照射部基部が回動する際に照射部基部が沿って移動する平面と交差するように第２回動軸を設定し、この第２回動軸が照射部基部に固定されていれば、上記と同様に、第１ランプと第２ランプを用いて様々な態様で広い範囲を照射することができる。
【００４６】
あるいは、第１回動軸の回りで回動する照射部がグリップに装着された構造においては、照射部に設けられたランプが単一である場合においても、上記のように照射部が折り畳まれる側（一方の側）におけるバッテリ保持部、バッテリの突出量を、他方の側よりも小さくすることによって、トーチライトの携帯が特に容易となることは明らかである。すなわち、このようなグリップ、照射部、バッテリ保持部、バッテリの間の位置関係は、ランプの構成によらず有効である。
【符号の説明】
【００４７】
１０、１１０  トーチライト
１１  グリップ
１２  バッテリ保持部
１３  第１回動軸
１４  照射部基部（照射部）
１５、２５  照射部先端部（照射部）
１６  第２回動軸
１７  フック
１００  バッテリ
１０１  ラッチ解除ボタン
１１１  弾性材（エラストマ）
１２１  フック収納口
１３１  スイッチ
１４１  第１ランプ（ランプ）
１５１  第２ランプ（ランプ）
２５１  第３ランプ（ランプ）
Ｈ  手
Ｇ  重心
ＧＤ  地面（平面）
【図１】
2015185454.tif 000003
【図２】
2015185454.tif 000004
【図３】
2015185454.tif 000005
【図４】
2015185454.tif 000006
【図５】
2015185454.tif 000007
【図６】
2015185454.tif 000008
【図７】
2015185454.tif 000009
【図８】
2015185454.tif 000010
【図９】
2015185454.tif 000011
【図１０】
2015185454.tif 000012